(57)【特許請求の範囲】
【請求項１】
錠剤（５）等を収容する多数の凸部（３）を表面側に設けたプラスチックシート（２）の裏面に、アルミ箔（４）を貼着して構成したＰＴＰ包装シート（１）を収納するケースであって、前記ＰＴＰ包装シート（１）を収納可能な厚さの偏平な箱形状に構成され、収納した前記ＰＴＰ包装シート（１）の凸部（３）に対応する、表板（１４）箇所に押圧用孔（１５）を、そして裏板（１６）箇所に取り出し孔（１７）をそれぞれ開設し、前記表板（１４）の内面に、収納した前記ＰＴＰ包装シート（１）の凸部（３）が突き当たらない位置関係で、前記裏板（１６）の内面との間に、前記プラスチックシート（２）とアルミ箔（４）との積層物の厚みよりもわずかに大きい隙間を形成して、リブ（１８）を突条設して成るＰＴＰ包装シート用ケース。
【請求項２】
一側端にＰＴＰ包装シート（１）の挿入口（１１）を開設し、前記ＰＴＰ包装シート（１）の挿入方向に沿って、リブ（１８）を突条設した請求項１記載のＰＴＰ包装シート用ケース。
【請求項３】
表板(14)の押圧用孔(15)に、該押圧用孔(15)に対して出入り変位自在に、押ボタン(24)を弾性的に連結した請求項１または２記載のＰＴＰ包装シート用ケース。
【請求項４】
裏板(16)の外面側に、取り出し孔(17)から押し出された錠剤(5) 等を受け止める受箱部(32)を設け、該受箱部(32)の側壁に錠剤(5) 等の取り出し口(33)を開設した請求項１または２または３記載のＰＴＰ包装シート用ケース。
【発明の詳細な説明】
【０００１】
【発明の属する技術分野】
本発明は、錠剤やカプセル剤を個別に分別収納した、ＰＴＰ包装シートを収納するケースに関するものである。
【０００２】
【従来の技術】
錠剤やカプセル剤（以下、錠剤等という）の包装形態として、錠剤等を収容する多数の凸部を表面側に設けたプラスチックシートの裏面にアルミ箔を貼着して構成され、凸部を押圧して潰すことにより、内部の錠剤等を介してその裏面のアルミ箔を破って錠剤等を押し出すようにした、いわゆるＰＴＰ包装シートが広く用いられている。
【０００３】
【発明が解決しようとする課題】
しかしながら、このＰＴＰ包装シートにあっては、患者がそのままの形態で保管したり、あるいは外出時に携帯した場合に、何らかの原因でプラスチックシートの凸部またはその裏面のアルミ箔が押圧され、これにより凸部裏面のアルミ箔が破れたり、されには錠剤等が押し出されてしまう恐れがある、と云う問題があった。
【０００４】
また、ＰＴＰ包装シートをその破断線で破断分離した状態で取扱う場合には、その破断部分の鋭利な角部でケガをする恐れがある、と云う問題があった。
【０００５】
そこで、本発明は、上記した従来技術における問題点を解消すべく創案されたもので、錠剤等の取り出しが可能な状態で、ＰＴＰ包装シート全体を収容保持することを技術的課題とし、もってＰＴＰ包装シートの取扱いが安全なものとなると共に、錠剤等の取り出しが常に簡単にかつ適正に行われるようにすることを目的とする。
【０００６】
【課題を解決するための手段】
上記技術的課題を解決する本発明の内、請求項１記載の発明の手段は、
錠剤等を収容する多数の凸部を表面側に設けたプラスチックシートの裏面に、アルミ箔を貼着して構成したＰＴＰ包装シートを収納するケースであること、
ＰＴＰ包装シートを収納可能な厚さの偏平な箱形状に構成されていること、
収納したＰＴＰ包装シートの凸部に対応する、表板箇所に押圧用孔を、そして裏板箇所に取り出し孔をそれぞれ開設すること、
表板の内面に、収納したＰＴＰ包装シートの凸部が突き当たらない位置関係で、裏板の内面との間に、プラスチックシートとアルミ箔との積層物の厚みよりもわずかに大きい隙間を形成して、リブを突条設すること、
にある。
【０００７】
ＰＴＰ包装シートは箱形状のケース内に完全に収納されるので、保管時や携帯時等に、ＰＴＰ包装シートの凸部やその裏面のアルミ箔が何かに押圧されて、アルミ箔が破れたり、錠剤等が押し出されたりする恐れが無く、ＰＴＰ包装シートを安全に保管あるいは携帯することができる。
【０００８】
また、例えＰＴＰ包装シートを破断線で破断分離した場合であっても、ケースに収納して取り扱えば、破断部分の鋭利な角部でケガをすることも無く、ＰＴＰ包装シートを安全に取り扱うことができる。そして、リブの存在によって、ＰＴＰ包装シートを常に表裏正しい向きで収納することができ、またリブは、裏板との間にＰＴＰ包装シートを軽く挟持すると共に、凸部との突き当りにより、収納したＰＴＰ包装シートが簡単に変位するのを防止し、これによりＰＴＰ包装シートを、略ではあるが、常に錠剤等の取り出し可能位置に保持することになる。
【０００９】
錠剤等の服用時には、ケース表板の押圧用孔に指先を挿入して、ＰＴＰ包装シートの凸部を押圧することにより、錠剤等を介してアルミ箔を破ってこの錠剤等を押し出し、そのまま裏板の取り出し孔から取り出す。
【００１０】
請求項２記載の発明は、請求項１記載の発明に、一側端にＰＴＰ包装シートの挿入口を開設し、ＰＴＰ包装シートの挿入方向に沿って、リブを突条設したこと、を加えたものである。
【００１１】
この請求項２記載の発明にあっては、リブの存在によって、ＰＴＰ包装シートが表裏逆向きの場合は挿入できないので、ＰＴＰ包装シートを常に表裏正しい向きで挿入させることができる。
【００１２】
請求項３記載の発明は、請求項１記載の発明に、表板の押圧用孔に、この押圧用孔に対して出入り変位自在に、押ボタンを弾性的に連結したこと、を加えたものである。
【００１３】
この請求項３記載の発明にあっては、凸部からの錠剤等の取り出しを、柔らかな指先で直接行うのではなく、押ボタンを使用して行うので、押ボタンを、指先による押圧操作がし易い構造、また凸部を押し潰し易い構造とすることにより、錠剤等の取り出しを、容易にかつ確実にそして好適に達成できる。
【００１４】
請求項４記載の発明は、請求項１記載の発明に、裏板の外面側に、取り出し孔から押し出された錠剤等を受け止める受箱部を設け、この受箱部の側壁に錠剤等の取り出し口を開設したこと、を加えたものである。
【００１５】
この請求項３記載の発明にあっては、ＰＴＰ包装シートから押し出した錠剤等を手で受け損ねて落としたり、紛失したりする恐れが無いため、衛生的にかつ確実にそして安全に錠剤等を取り出すことができる。
【００１６】
【発明の実施の形態】
以下、本発明の実施例を、図面を参照しながら説明する。
ＰＴＰ包装シート１は、肉薄平板状の透明プラスチックシート２と、破断が容易なアルミ箔４とからなり、透明プラスチックシート２に、錠剤５等の収容空間を形成する多数の凸部３を、縦横に配列した状態で表面側に湾曲突出状に熱成形し、この凸部３内に錠剤５等を収容した状態で、透明プラスチックシート２の裏面全域を覆ってアルミ箔４を貼着固定して構成されている。
【００１７】
図１および図２は、本発明ケースの第１の実施例を示すもので、ケース１０は硬質プラスチック等により偏平な中空直方体形状に成形されており、長手方向の一方側の端面をＰＴＰ包装シート１の挿入口１１として開放し、この挿入口１１の中央部には蓋片１２をヒンジ結合により開閉可能に設け、また長手方向の他方側端は、中央部にＰＴＰ包装シート１を押し出すための切欠部１３を開設し、残部を閉鎖した構成としている。
【００１８】
ケース１０の表板１４および裏板１６には、収容したＰＴＰ包装シート１の各凸部３に対応する箇所に、押圧用孔１５および取り出し孔１７がそれぞれ開設されており、押圧用孔１５は指先が侵入できる程度の開口寸法で、また取り出し孔１７は錠剤５等が通過できる程度の開口寸法で開設されている。
【００１９】
また、表板１４の内面中央には、長手方向に沿ったリブ１８が、裏板１６の内面との間に、透明プラスチックシート２とアルミ箔４との積層物の厚みよりもわずかに大きい隙間を形成して突条設されており、このリブ１８により、ＰＴＰ包装シート１のケース１０に対する挿入収容姿勢を、アルミ箔４が裏板１６に対向する向きに規制すると共に、ケース１０内におけるＰＴＰ包装シート１の妄りな変位の発生を防止している。
【００２０】
錠剤５等の取り出しは、押圧用孔１５に指先を侵入させて凸部３を押し潰し、この押し潰しにより凸部３内の錠剤５等を、アルミ箔４を破断してそのまま取り出し孔１７から押し出すことにより達成される。
【００２１】
ＰＴＰ包装シート１のケース１０内からの引き抜き離脱は、蓋片１２を開放させた状態で、切欠部１３に露出したＰＴＰ包装シート１部分を挿入口１１側に押してＰＴＰ包装シート１の一部を挿入口１１から突出させ、この突出した一部を指先で摘んで引き出すことにより達成される。
【００２２】
図３ないし図５は、本発明によるケースの第２の実施例を示すもので、ケース２０は、取り出し孔１７を開設した裏板１６としての底板２２を有する偏平な箱形状の本体２１の上面開口部に、押圧用孔１５を開設した表板１４としての蓋板２３を、ヒンジ２６により開閉回動可能に結合して構成されている。
【００２３】
各押圧用孔１５内には、この押圧用孔１５を略塞ぐ形態で、三本の弾性連結片２５により、中央部が凹んだ押ボタン２４が出入り変位自在に結合されており、押ボタン２４の下面は球弧状に湾曲膨出している。
【００２４】
この第２の実施例にあっては、ケース２０の収容部の平面形状が、予めＰＴＰ包装シート１の平面形状と整合されているので、ケース１にＰＴＰ包装シート１を収容して蓋板２３を閉じると、ＰＴＰ包装シート１の凸部３は、必ず押圧用孔１５および取り出し孔１７に対向して、その上端部を押ボタン２４の下端部に軽く接触して、もしくは間近に対向させることのなり、この凸部３は、指先で押し込まれた押ボタン２４により押し潰されて、中の錠剤５等が取り出される。
【００２５】
このように、固体物である押ボタン２４により凸部３を押し潰すので、凸部３の押し潰しを容易に達成でき、また凸部３と押ボタン２４との対向姿勢が一定しているので、常に一定した凸部３の押し潰し形態、すなわち錠剤５等の取り出し形態を得ることができ、これにより錠剤５等の安定した取り出しを達成でき、さらに押ボタン２４の上面を凹面としたので、指先による押ボタン２４の押圧操作を安定して行い易く、それだけ錠剤５等の取り出し操作が容易となる。
【００２６】
図６は、本発明によるケースの第３の実施例を示すもので、ケース３０は、取り出し孔１７を開設した裏板１６としての中板３１の下方に、取り出し孔１７から落下してきた錠剤５を受ける有底の受箱部３２を設け、この受箱部３２の側壁に錠剤５の取り出し口３３を開設して構成されている。
【００２７】
図示した第３の実施例のその他の構成は、第２の実施例と同様であるが、第１の実施例にも適用できることは勿論である。
【００２８】
この第３の実施例にあっては、錠剤５等の凸部３からの押し出し処理と、凸部３から押し出された錠剤５等を掌等の所望する箇所への取り出し処理とを、別個に行うので、両処理を互いに規制されることなく好適に実施することができ、これによりＰＴＰ包装シート１からの錠剤５等の取り出しを余裕をもって安全に行うことができる。
【００２９】
【発明の効果】
本発明は、上記した構成となっているので、以下に示す効果を奏する。
ＰＴＰ包装シートは箱形状のケース内に完全に収納されるので、保管時や携帯時に、このＰＴＰ包装シートの凸部やその裏面のアルミ箔が何かにぶつかって押圧され、アルミ箔が破れたり、錠剤等が押し出されたりする恐れが無く、もってＰＴＰ包装シートを安全に保管および携帯することができる。
【００３０】
ＰＴＰ包装シートは、その全体がケース内に収容されるので、破断線に沿った破断等により鋭利部分が形成されていたとしても、その一部がケース外に突出状に露出することがなく、もってＰＴＰ包装シートの安全な取扱い状況を得ることができ、さらに錠剤等の安全な収納保持を得ることができる。
【００３１】
請求項２記載の発明によれば、ケースへのＰＴＰ包装シートの収容を、必然的に適正で安定したものとすることができ、これにより錠剤等のより安全な収容保持と、安定した取り出しとを得ることができる。
【００３２】
請求項３記載の発明によれば、押ボタンにより凸部を押し潰すので、ＰＴＰ包装シートからの錠剤等の取り出しを、安定した簡単に、かつ一定して適正に、そして確実かつ安全に達成することができる。
【００３３】
請求項４記載の発明によれば、錠剤等の凸部からの押し出し処理と、凸部から押し出した錠剤等を所望する箇所への取り出し処理とを、相互規制なしに実施することができ、もって錠剤等の取り出しを自由にかつ安全に行うことができる。
【図面の簡単な説明】
【図１】本発明の第１の実施例を示す、全体斜視図。
【図２】図１に示した実施例の、押圧用孔列に沿った全体縦断側面図。
【図３】本発明の第２の実施例を示す、一部破断削除した全体斜視図。
【図４】図３に示した実施例の、全体平面図。
【図５】図３に示した実施例の、押圧用孔列に沿った全体縦断側面図。
【図６】本発明の第３の実施例を示す、一部破断除去した押圧用孔列に沿った全体縦断側面図。
【符号の説明】
１  ；  ＰＴＰ包装シート
２  ；  プラスチックシート
３  ；  凸部
４  ；  アルミ箔
５  ；  錠剤
１０；  ケース
１１；  挿入口
１２；  蓋片
１３；  切欠部
１４；  表板
１５；  押圧用孔
１６；  裏板
１７；  取り出し孔
１８；  リブ
２０；  ケース
２１；  本体
２２；  底板
２３；  蓋板
２４；  押ボタン
２５；  弾性連結片
２６；  ヒンジ
３０；  ケース
３１；  中板
３２；  受箱部
３３；  取り出し口
【図１】
0003691670.tif 000002
【図２】
0003691670.tif 000003
【図３】
0003691670.tif 000004
【図４】
0003691670.tif 000005
【図５】
0003691670.tif 000006
【図６】
0003691670.tif 000007